(57)【要約】
【課題】長袖をたくし上げた状態に維持するのに便利であり、身体が不自由な入院患者などが着用して好適なパジャマの上着を提供することにある。
【解決手段】上着本体１の左右に長袖２を備えている。各長袖２の内側に、これの上下長手方向に沿って細長い当て布５が縫い付けられている。長袖２の生地と当て布５との間に、紐６を通す。紐６の下端は長袖２の袖先側に縫い付ける。紐６の上端は、長袖２の上端側に設けた通口７を介して上着本体１の前側に垂れ下がるよう長袖２の外部に臨出している。長袖２の外部に出た紐６の上端には、前記通口７内に引き込まれないように摘み９を備えている。
【選択図】図１
0003100227.tif 000002
【実用新案登録請求の範囲】
【請求項１】
　上着本体１の左右に長袖２を備えており、
　各長袖２の内側に、これの上下長手方向に沿って細長い当て布５が縫い付けられており、
　長袖２の生地と当て布５との間に紐６が通されており、
　紐６の下端が長袖２の袖先側に縫い付けられており、
　紐６の上端が、長袖２の上端側に設けた通口７を介して上着本体１の前側に垂れ下がるよう長袖２の外部に臨出しており、
　長袖２の外部に出た紐６の上端には、前記通口７内に引き込まれないように摘み９を備えているパジャマの上着。
【請求項２】
　紐６の上端に、リング状の摘み９が取り付けられている請求項１記載のパジャマの上着。
【請求項３】
　上着本体１の前側に、ポーチ１１を着脱自在に掛け留めることができるフック１０が設けられている請求項２記載のパジャマの上着。
【考案の詳細な説明】
【技術分野】
【０００１】
　本考案は、入院患者などの身体が不自由な者が着用して好適なパジャマの上着に関する。
【背景技術】
【０００２】
　例えば、病気入院中の患者は終日、長袖のパジャマ姿で過ごすことになる。その際、洗顔時、または点滴や注射などを受けるときなどに長袖をたくし上げることになるが、このたくし上げ状態を維持する作業が、身体の不自由で意のままにならぬことが多い。
【０００３】
　長袖の袖丈が自在に調節できれば便利である。この点に関する従来技術の一つに、特許文献１がある。これは子供向きのスキーウエアであって長袖の内側に紐を通し、紐を引っ張って袖丈を縮めた後、紐を結んで固定できるようになっている。別の従来例として、紐の両端にジョイントを設け、ジョイントの係脱で袖丈が調整できるし、手袋の保持にも利用できる子供用のスキーウエアがある（特許文献２）。
【特許文献１】実開平４−７３９１７号公報
【特許文献２】実用新案登録第２５１４２６９号公報
【考案の開示】
【考案が解決しようとする課題】
【０００４】
　これらの従来例では、健常者がスキーシーズン前に袖丈を調整するものであるから、問題は比較的少ない。入院患者の場合、身体が十分に利かないことが多いうえに、洗顔などの度ごとに長袖をたくし上げたり、元に戻したりしなければならず、その際に紐を結んだり解いたりすることや、ジョイントを係脱することには労が多すぎる。
【０００５】
　そこで本考案の目的は、長袖のたくし上げ、たくし上げた状態での保持が簡単に行えるようにし、以て身体が不自由な入院患者などが着用して好適なパジャマの上着を提供することにある。本考案の目的は、身の回り品や貴重品の類を身に付けておくのにも便利なパジャマの上着を提供することにある。
【課題を解決するための手段】
【０００６】
　請求項１記載の本考案に係るパジャマの上着は、上着本体１の左右に長袖２を備えており、各長袖２の内側に、これの上下長手方向に沿って細長い当て布５が縫い付けられており、長袖２の生地と当て布５との間に紐６が通されており、紐６の下端が長袖２の袖先側に縫い付けられており、紐６の上端が、長袖２の上端側に設けた通口７を介して上着本体１の前側に垂れ下がるよう長袖２の外部に臨出しており、長袖２の外部に出た紐６の上端に、前記通口７内に引き込まれないように摘み９を備えている。ここでの摘み９は、紐６の上端側が長袖２側の通口７内に引き込まれるのを防ぐにある。この限りにおいて、摘み９は単なる結び玉でもよく、通口７を介して長袖２内に入り込まないものであればよい。
【０００７】
　請求項２記載の本考案では、請求項１記載のパジャマ上着において、紐６の上端にリング状の摘み９を取り付けている。この場合の摘み９は、紐６の引き下げ用にもなる。
【０００８】
　請求項３記載の本考案は、請求項２記載のパジャマ上着において、上着本体１の前側に、ポーチ１１を着脱自在に掛け留めることができるフック１０が設けられている。
【考案の効果】
【０００９】
　請求項１記載の本考案によれば、長袖２内に通した紐６の上端が、長袖２の上端から上着本体１の前側に垂れ下がるよう出ている。従って、着用者は腕を伸ばした状態で長袖２を必要量だけたくし上げると、紐６が弛んだ状態になるので、紐６の上端を下方に引けばよい。これで長袖２の生地と当て布５との間に通した紐６の挿通抵抗で長袖２をたくし上げた状態に維持できる。紐６を引いて長袖２をたくし上げることもできるであろう。長袖２の袖先が戻ろうとすれば、紐を引いて止めればよい。その一方で、長袖２は袖口側を手にしてズリ下げることにより、簡単に元の状態に戻すことができる。よって、身体の不自由な者が一人で長袖２を上げたり下げたりするのに使い勝手が良い。
【００１０】
　請求項２記載の本考案によれば、紐６の上端にリング状の摘み９が取り付けられているので、着用者はこの摘み９をつかんで紐６の上端を身体の前側で引き下げ操作する作業が容易に行える。
【００１１】
　更に加えて、請求項３記載の本考案によれば、上着本体１の前側には、必要に応じてポーチ１１を掛け留めることができるフック１０を設けてあるので、ベッドから離れる際などに人知れず貴重品その他はポーチ１１に入れて身に付けておくことができ、とくに病院や養老院などにおいて、第三者と寝食を共にする者にとって便利である。
【考案を実施するための最良の形態】
【００１２】
　図１ないし図３は本考案に係るパジャマの上着を示す。符号１は左右に長袖２を有する上着本体１である。上着本体１は、前開きになっていて左右の前見頃をボタン３とボタン穴４とで掛け留めることができる。
【００１３】
　左右細幅で上下方向に長い当て布５を用意し、左右の各長袖２の内側には、これの上下長手方向にわたって当て布５の左右端縁を縫い付ける。長袖２の生地と当て布５との間に２本の長い紐６を通す。
【００１４】
　紐６の下端は、長袖２の袖先側において当て布５との間に縫い付ける。紐６の上端は、長袖２の上端側において、これに設けた通口７を介して上着本体１の前側に垂れ下がるよう長袖２の外部に臨出している。
【００１５】
　紐６の上端にはリング状の摘み９を取り付けてあり、これによって紐６の長袖２外に出た上端側が前記通口７を介して長袖２の内部に引き込まれるのを規制している。
【００１６】
　上着本体１の左右の前見頃には、左右一対のフック１０をそれぞれ設けてあり、このフック１０にてポーチ１１を着脱自在に掛け留めることができる。フック１０は上着本体１に縫い付けたベルト布１２とこれの先端に取り付けたリング１３とを含む。
【００１７】
　パジャマ上着の着用に際し、紐６は長袖２内においてこれの布地と当て布５との間に通してあるから、長袖２に手を差し込む際などに紐６が邪魔になることはない。その一方で、長袖２の布地と当て布５との間で紐６は自由に移動できる。
【００１８】
　使用に際しては、長袖２をたくし上げた状態で、紐６の上端を摘み９を手にして引き下げればよい。これで紐６の挿通抵抗により、長袖２がたくし上げられた状態に維持される。長袖２にゆとりがある場合や、袖先側を僅かにたくし上げるだけであれば、紐６を前述の要領で引くだけでもよい。たくし上げた長袖２は、これの袖先を引っ張れば直ぐに元に戻り、これに伴って紐６も元の状態に引き戻される。従って、身体が不自由な者であっても、紐６を引くだけで簡単に長袖２をたくし上げた状態に保持しておけるし、その状態を微調整できる。
【００１９】
　上着本体１の左右の前見頃にはフック１０を設けてあるので、左右両側または片側のフック１０にポーチ１１を掛け留めることにより、ベッドから離れるときなどはポーチ１１に貴重品などを入れて携帯できる。ポーチ１１はこれが邪魔になるときは上着本体１から外しておけばよい。
【００２０】
　なお、紐６は２本に限らず、各長袖２に１本づつ設けてあってもよい。
【図面の簡単な説明】
【００２１】
【図１】全体の斜視図
【図２】長袖をたくし上げた状態での要部の正面図
【図３】要部の断面図
【符号の説明】
【００２２】
１　上着本体
２　長袖
５　当て布
６　紐
７　通口
９　摘み
１０　フック
１１　ポーチ
【図１】
0003100227.tif 000003
【図２】
0003100227.tif 000004
【図３】
0003100227.tif 000005